(57)【要約】【課題】ケーブル毎にケーブル線種を選定するケーブル選定システムおよび選定方法を提供する。【解決手段】プラントなどの現場にケーブル敷設するときに、ここで使用するケーブルを決定するためのケーブル選定システムであって、始点から終点に至るケーブルルートにおける機器の情報を、使用するケーブルのケーブル番号ごとに保有し、機器とこの機器が配置されるエリアとを関連づけて保有し、エリアにおける環境条件を保有し、ケーブル材料ごとに使用可能な環境条件情報を保有し、機器ごとに当該機器に接続して使用するケーブルとして必要な要求条件を保有し、ケーブル番号毎に関連する情報として、ケーブルが通過する地点の環境条件と、この環境条件でのケーブル材料と、ケーブルとして必要な要求条件を抽出して、ケーブル番号毎に関連付けて出力する。【選択図】図１
2015018308.tif 000002
【特許請求の範囲】
【請求項１】
記憶装置と演算装置で構成され、プラントなどの現場にケーブル敷設するときに、ここで使用するケーブルを決定するためのケーブル選定システムであって、
前記記憶装置には、始点から終点に至るケーブルルートにおける機器の情報を、使用するケーブルのケーブル番号ごとに保有するケーブル情報データベースと、前記機器とこの機器が配置されるエリアとを関連づけて保有する配置情報データベースと、前記エリアにおける環境条件を保有する環境条件情報データベースと、ケーブル材料ごとに使用可能な前記環境条件情報を保有するケーブル材料情報データベースと、前記機器ごとに当該機器に接続して使用するケーブルとして必要な要求条件を保有する機器情報データベースとを備え、
前記演算装置は、前記複数のデータベースから前記ケーブル番号毎に関連する情報として、ケーブルが通過する地点の環境条件と、この環境条件でのケーブル材料と、ケーブルとして必要な要求条件を抽出して、前記ケーブル番号毎に関連付けて出力することを特徴とするケーブル選定システム。
【請求項２】
請求項１に記載のケーブル選定システムであって、
前記記憶装置には、ケーブル線種を選定するときに考慮すべきケーブル線種選定条件を保有するケーブル線種選定条件情報データベースを備え、当該ケーブル線種選定条件に該当する前記の演算装置出力について、修正を施すことを特徴とするケーブル選定システム。
【請求項３】
請求項１または請求項２に記載のケーブル選定システムであって、
前記記憶装置には、前記ケーブル番号のケーブルの負荷電流に関連してケーブルサイズの情報を保有しており、
前記演算装置は、演算装置出力にケーブルサイズの情報を含むことを特徴とするケーブル選定システム。
【請求項４】
請求項１から請求項３のいずれか１項に記載のケーブル選定システムであって、
当該ケーブル選定システムは、ＣＡＤシステムに連携されており、ＣＡＤシステム内に保有する機器とその属性情報を利用して前記記憶装置の各種データベースが構築されていることを特徴とするケーブル選定システム。
【請求項５】
請求項４に記載のケーブル選定システムであって、
ケーブル線種の選定に必要な情報とケーブルサイズの選定に必要な情報から、ＣＡＤ内でオブジェクトを構築し、そのオブジェクトに属性を持たせることによって、ケーブルの線種とサイズに必要な情報を管理することを特徴とすることを特徴とするケーブル選定システム。
【請求項６】
プラントなどの現場にケーブル敷設するときに、ここで使用するケーブルを決定するためのケーブル選定方法であって、
始点から終点に至るケーブルルートにおける機器の情報を、使用するケーブルのケーブル番号ごとに保有し、前記機器とこの機器が配置されるエリアとを関連づけて保有し、前記エリアにおける環境条件を保有し、ケーブル材料ごとに使用可能な前記環境条件情報を保有し、前記機器ごとに当該機器に接続して使用するケーブルとして必要な要求条件を保有し、
前記複数の情報から、前記ケーブル番号毎に関連する情報として、ケーブルが通過する地点の環境条件と、この環境条件でのケーブル材料と、ケーブルとして必要な要求条件を抽出して、前記ケーブル番号毎に関連付けて最終出力とすることを特徴とするケーブル選定システム。
【請求項７】
請求項６に記載のケーブル選定方法であって、
ケーブル線種を選定するときに考慮すべきケーブル線種選定条件を保有し、当該ケーブル線種選定条件に該当する前記の最終出力について、修正を施すことを特徴とするケーブル選定方法。
【請求項８】
請求項６または請求項７に記載のケーブル選定方法であって、
前記ケーブル番号のケーブルの負荷電流に関連してケーブルサイズの情報を保有しており、
前記最終出力にケーブルサイズの情報を含むことを特徴とするケーブル選定方法。
【発明の詳細な説明】
【技術分野】
【０００１】
本発明はプラントなどの現場にケーブル敷設するときに、ここで使用するケーブルの線種などを決定するためのケーブル選定システムおよび選定方法に関する。
【背景技術】
【０００２】
プラントなどの現場にケーブルを敷設するときには、ケーブルが敷設される場所の環境や、適用される機器側の条件などを勘案して、使用する線種などを適切に選択する必要がある。
【０００３】
従来、ケーブルの線種を選定するためには、設計者がそのケーブルルートから関連する電線管やトレイを抽出し、その電線管やトレイの配置情報からケーブルの周囲温度、周囲放射線量を抽出し、そのケーブルの回路区分、芯数、ケーブルの発着点となる機器の要求条件とを併せて、ケーブルの線種を選定している。このとき、ケーブルの線種を選定するために必要な情報は、複数の資料等を目視等により確認、比較しているため、情報の選定ミスや見落としが生じる可能性がある。
【０００４】
このため、これら設計作業の自動処理化が望まれるところである。この自動化手法に関して、例えば原子力発電所におけるケーブルの劣化を管理する方法として特許文献１では、ケーブル管理に必要な情報である、ケーブル情報、配置情報、環境情報、ケーブル劣化情報、およびケーブル取替作業情報をデータベースとして保管し、そのデータベース内の必要なデータを呼び出して、計算機内で自動演算することによってトレイ毎のケーブル取替に関する優先順位を求めて管理する方法が提案されている。なお、ケーブル情報とはケーブル線種、材質、布設ルートに関する情報を示す。
【先行技術文献】
【特許文献】
【０００５】
【特許文献１】特開平０９−２７４０９４号公報
【発明の概要】
【発明が解決しようとする課題】
【０００６】
しかしながら特許文献１は、あくまでもケーブルの劣化を管理する方法においてデータベースに必要な情報を蓄積し、劣化の観点から計算機による処理を進めることを提案したに過ぎない。
【０００７】
本発明のように線種を定めるためにデータベースや演算処理を利用したものではない。このため、データベースに有用なデータを蓄積することができても、これを利用してケーブルの回路区分情報、芯数情報、機器の要求条件情報やケーブル線種の選定フローを行うための演算手法が不明であり、システム上でケーブル線種の選定ができなかった。つまり、特許文献１は各種データをデータベースに蓄積したにとどまり、これらを有機的に結合して所望の結果を得るためのケーブル選定のための演算処理手法が確立していなかった。
【０００８】
そこで、本発明は、ケーブル情報、機器配置情報、周囲環境条件情報、回路区分情報、芯数情報、機器の要求条件情報を加え、データベース内で管理し、対象のケーブルに関係する情報をデータベース内から呼び出して、ケーブル毎にケーブル線種選定フローを自動演算することで、ケーブル線種を選定するケーブル選定システムおよび選定方法を提供するものである。
【課題を解決するための手段】
【０００９】
以上のことから本発明においては、記憶装置と演算装置で構成され、プラントなどの現場にケーブル敷設するときに、ここで使用するケーブルを決定するためのケーブル選定システムであって、
記憶装置には、始点から終点に至るケーブルルートにおける機器の情報を、使用するケーブルのケーブル番号ごとに保有するケーブル情報データベースと、機器とこの機器が配置されるエリアとを関連づけて保有する配置情報データベースと、エリアにおける環境条件を保有する環境条件情報データベースと、ケーブル材料ごとに使用可能な環境条件情報を保有するケーブル材料情報データベースと、機器ごとに当該機器に接続して使用するケーブルとして必要な要求条件を保有する機器情報データベースとを備え、
演算装置は、複数のデータベースからケーブル番号毎に関連する情報として、ケーブルが通過する地点の環境条件と、この環境条件でのケーブル材料と、ケーブルとして必要な要求条件を抽出して、ケーブル番号毎に関連付けて出力することを特徴とする。
【発明の効果】
【００１０】
本発明のケーブル選定システムは、一元管理データベース部を備え、データベースにケーブルの線種選定に必要な情報としてケーブル回路区分情報等を記録し、ケーブルの線種を選定するために必要な情報をデータベースから呼び出し、システム上でケーブル線種選定フローを自動演算することで、ケーブルの線種を自動選定できる。
【図面の簡単な説明】
【００１１】
【図１】本発明の実施例１に係るケーブル選定システムの構成を示す図。
【図２】具体的な配線現場の例を示す図。
【図３】データベースＤＢ１に保管されるケーブル情報テーブルの例を示す図。
【図４】データベースＤＢ２に保管される配置情報テーブルの例を示す図。
【図５】データベースＤＢ３に保管される環境情報テーブルの例を示す図。
【図６】データベースＤＢ４に保管されるケーブル材料情報テーブルの例を示す図。
【図７】データベースＤＢ５に保管されるケーブル機器情報テーブルの例を示す図。
【図８】データベースＤＢ６に保管されるケーブル線種選定条件情報テーブルの例を示す図。
【図９】配置情報選定部の処理後に形成される配置情報選定テーブルの一例を示す図。
【図１０】最高環境条件情報選定部の処理後に形成される最高環境条件情報選定テーブルの一例を示す図。
【図１１】ケーブル材料情報選定部の処理後に形成されるケーブル材料情報選定テーブルの一例を示す図。
【図１２】ケーブルの要求条件選定部の処理後に形成されるケーブルの要求条件情報選定テーブルの一例を示す図。
【図１３】ケーブル線種選定条件選定部の処理後に形成されるケーブル線種選定条件選定テーブルの一例を示す図。
【図１４】本発明の実施例２に係るケーブル選定システムの構成を示す図。
【図１５】実施例２のケーブル情報テーブルＴＢ１の記憶内容を示す図。
【図１６】実施例２のケーブルサイズデータテーブルＴＢ７の記憶内容を示す図。
【図１７】実施例２のケーブルサイズ選定テーブルＴＢ８の記憶内容を示す図。
【図１８】実施例２のケーブル線種選定テーブルＴＢ１５の記憶内容を示す図。
【図１９】実施例３における配線現場の例を示す図。
【図２０】ＣＡＤ情報として機器とその属性情報を示す図。
【図２１】ＣＡＤ情報として電線管とその属性情報を示す図。
【図２２】ＣＡＤ情報としてトレイとその属性情報を示す図。
【図２３】ＣＡＤ情報としてケーブルとその属性情報を示す図。
【発明を実施するための形態】
【００１２】
本発明の実施例について図を用いて説明する。
【実施例１】
【００１３】
本発明のケーブル選定システムの説明は、以下具体的な配線現場の例で説明する。図２の配線現場は、エリアＲＡ，ＲＢ，ＲＣに仕切られており、各エリア内は異なる温度、放射線環境下にある。このうちエリアＲＡには制御盤Ｂｄ１、計器Ｓ１，Ｓ２が設置され、エリアＲＢには制御盤Ｂｄ２が設置され、エリアＲＣには電動機Ｍ、弁Ｖが設置されている。ケーブルはこれらの機器間にエリアを跨いで配置され、ケーブル収納のために電線管ＰやトレイＴが用いられている。
【００１４】
図１は本発明によるケーブル選定システムの構成を示す図である。本システムは記憶装置や演算装置で構成された計算機システムにより実現される。図１では上部に記憶装置内の各種データベースＤＢを、下部に演算装置における処理手順Ｐｒを示している。
【００１５】
記憶装置内の各種データベースＤＢは、一元管理されており、ここには基礎データばかりでなく、処理手順Ｐｒでの処理により生成される中間データあるいは、最終成果物である最終データが適宜保管される。一元管理されるデータベースＤＢは、ケーブル情報データベースＤＢ１と、配置情報データベースＤＢ２と、環境条件情報データベースＤＢ３と、ケーブル材料情報データベースＤＢ４と、機器情報データベースＤＢ５と、ケーブル線種選定条件情報データベースＤＢ６であり、これらの各種データベースＤＢは各種情報ごとに作成して登録、記録されている。
【００１６】
データベースＤＢのうちＤＢ１は、ケーブル情報データベースであり、ここに保管される基礎データの例が図３に示すケーブル情報テーブルＴＢ１である。ここに保管されるケーブル情報として何を有するべきかが、以下のことを考慮して定められる。まず最終的にケーブル線種を選定するためにはケーブルルートにおける最高周囲環境条件を求める必要がある。例えば発電所内では、様々なエリアに機器が配置されており、その機器に接続されたケーブルが、どの電線管やトレイを通るかについてのケーブルルート情報が必要である。また、同じケーブルルートでも用途や線種が異なることがあるため、ケーブル番号により１本、１本識別する必要があり、ケーブル番号情報が必要である。
【００１７】
これらのことを勘案の上、ケーブル情報テーブルＴＢ１を構成する各欄には、欄１００にケーブル番号、１０１に回路区分、１０２に芯数、１０３に発点機器、１０４に着点機器、欄１０５にケーブルルートが区分されて記憶されている。
【００１８】
この記憶データによれば、図２の配線現場を参照しながら述べると、例えばケーブル番号が１のケーブルは制御回路で使用される３芯のケーブルであって、制御盤Ｂｄ１から制御盤Ｂｄ２まで、電線管Ｐ１，トレイＴ１，トレイＴ２，電線管Ｐ２を経由して配線されるものであることが理解できる。またケーブル番号が３のケーブルは動力回路で使用される３芯のケーブルであって、制御盤Ｂｄ１から電動機Ｍまで、電線管Ｐ５，トレイＴ５，トレイＴ６，電線管Ｐ６を経由して配線される。なお、テーブルＴＢ１の他のケーブルについても同様に理解できるのでここでの説明を割愛する。
【００１９】
ケーブル情報データベースＤＢ１の記憶内容は要するに、ケーブルごとにその発着点とルート、および使用される回路（制御回路、動力回路、計装回路）を定義したものである。
【００２０】
データベースＤＢ２には配置情報が記憶されている。ここで配置情報を定めるについては、以下のことを考慮する必要がある。例えば発電所は建屋内を幾つかのエリアに仕切られており、エリア毎に周囲温度、周囲放射線量が異なる。そのため、電線管やトレイ、機器がどのエリアに配置されているかについての配置情報が必要である。
【００２１】
データベースＤＢ２に保管される基礎データの例が図４に示す配置情報テーブルＴＢ２である。このテーブルでは、個別の機器や電路（配線ルート）が欄１０６に記憶され、その機器などが配置される場所（エリア）が欄１０７に記憶されている。例えば制御盤Ｂｄ１はエリアＲＡに、制御盤Ｂｄ２はエリアＲＢに配置されていることの機器などの設置場所が機器ごとに記憶されている。なお、テーブルＴＢ２の他の機器についても同様に理解できるのでここでの説明を割愛する。
【００２２】
データベースＤＢ３には環境条件情報が記憶されている。ここで環境条件情報を定めるには、以下のことに留意する。まずケーブルの劣化は周囲温度と周囲放射線の影響によるところが大きい。そのため、ケーブルはケーブルが布設されたエリアの周囲環境条件に耐える材料を選定しなければならない。そのため、ケーブルが布設されているエリアの周囲温度情報と周囲放射線情報の値が必要である。
【００２３】
データベースＤＢ３に保管される基礎データの例が図５に示す環境条件情報テーブルＴＢ３である。このテーブルでは、エリアが欄１０８に記憶され、その場所での温度と放射線量がそれぞれ欄１０９，１１０に記憶されている。これによればエリアＲＡは温度４０℃、放射線量３×１０４Ｇｙ、エリアＲＢは温度５０℃、放射線量１×１０５Ｇｙ、エリアＲＣは温度３０℃、放射線量２×１０６Ｇｙであり、温度面ではエリアＲＢが高温環境で厳しいものとなっているが、放射線量的にはエリアＲＣが最も厳しくなっていることが分かる。
【００２４】
データベースＤＢ４にはケーブル材料情報が記憶されている。ここで環境条件情報を定めるについては、以下のことに留意する。まずケーブルが劣化するには周囲温度と周囲放射線の影響によるところが大きい。そのため、ケーブルはケーブルが布設されたエリアの周囲環境条件に耐える材料を選定しなければならない。そのため、ケーブルごとの周囲温度情報と周囲放射線情報の値が必要である。
【００２５】
データベースＤＢ４に保管される基礎データの例が図６に示すケーブル材料情報テーブルＴＢ４である。このテーブルでは、ケーブル材料が欄１１１に記憶され、そのケーブル材料の許容温度と許容放射線量がそれぞれ欄１１２，１１３に記憶されている。この記憶事例によれば、温度が高い場面ではガラス編組を用い、放射線量が高い場面ではエチレンプロピレンゴムを用い、双方ともにさほど高くないという場面ではビニルを用いるのがよい。
【００２６】
データベースＤＢ５には機器情報が記憶されている。ここで機器情報を定めるについては、以下のことに留意する。まずケーブルは回路区分によって動力回路、制御回路、計装回路、熱電対回路等に分けられ、回路区分によってケーブルの構造が異なる。そのため、機器の回路区分情報が必要である。また、ケーブルは材料が同じでも芯数によって構造が異なる。そのため、芯数情報が必要である。さらに、回路区分が制御回路でも機器の要求条件でシールド付きケーブルを適用する場合があり、この場合、制御ケーブルではなく計装ケーブルを選定する。また、機器の測定精度や測定範囲によってもケーブルの種類が変わる。そのため、機器の要求条件情報が必要である。
【００２７】
データベースＤＢ５に保管される基礎データの例が図７に示す機器情報テーブルＴＢ５である。このテーブルでは、機器が欄１１４に記憶され、この機器に対するケーブル要求条件が欄１１５に記憶されている。この事例では、制御盤Ｂｄ、電動機Ｍ、弁Ｖについてケーブルの制限はないが、計器Ｓ１に関しては高温配管用ケーブルが指定され、計器Ｓ２に関してはシールド付ケーブルが指定されている。
【００２８】
データベースＤＢ６にはケーブル線種選定条件情報が記憶されている。ここでケーブル線種選定情報を定めるについては、以下のことに留意する。まず発電所に布設されるケーブルには様々な種類があり、ケーブルの線種によって絶縁体、シース等の材質が異なる。材質の違いによって使用できる環境条件が異なる。また、回路区分や機器の要求条件によってケーブルの構造が異なる。このため、発電所内の環境条件や回路区分等で適用できるケーブル種類情報が必要である。
【００２９】
データベースＤＢ６に保管される基礎データの例が図７に示すケーブル線種選定情報テーブルＴＢ６である。このテーブルでは、ケーブル線種選定として、例えば「回路区分が制御回路」かつ「ケーブルの要求条件がシールド付ケーブル」である場合には、回路区分を計装回路とする、あるいは「ケーブル材料がビニル」かつ「ケーブルの要求条件が高温配管用」であればケーブル材料をガラス編組とするなどの条件を記憶している。
【００３０】
図１の演算装置で構成された処理手順Ｐｒでは、記憶装置内の各種データベースＤＢの記憶内容を連携して、最終的にケーブルの線種を定めていく。処理手順Ｐｒは、ケーブル番号に関係する情報を選定する電線管とトレイ、機器の配置情報選定部Ｐｒ１と、あるケーブル番号における環境条件情報から最高周囲環境条件を求める最高周囲環境条件情報選定部Ｐｒ２と、ケーブル材料情報選定部Ｐｒ３と、ケーブル回路区分、芯数、機器の要求条件情報選定部Ｐｒ４と、あるケーブル番号の最高周囲環境条件情報と回路区分情報、機器の要求条件情報からケーブル線種選定フローを自動演算することでケーブル線種情報を求めるケーブル線種情報選定部Ｐｒ５と、ケーブル番号毎にそのケーブルに関係するケーブルルート情報、最高周囲温度情報、最高周囲放射線量情報、回路区分情報、芯数情報、ケーブル線種情報をケーブルリストとして出力するケーブルリスト出力部Ｐｒ６によって構成される。
【００３１】
以下上記データベースの情報を連携させていく処理手順について説明するが、その前提としては外部の操作者によるケーブル番号の指定が行われている、あるいは処理開始指令によりケーブル番号の指定が行われている。このための最初の処理が電線管とトレイ、機器の配置情報選定部Ｐｒ１（以下単に配置情報選定部という）で実行される。
【００３２】
配置情報選定部Ｐｒ１では、ケーブル番号が指定されるとケーブル番号の情報を含むテーブルＴＢとしてケーブル情報テーブルＴＢ１を参照し、該当するデータを抽出する。つまり、例えばケーブル番号１が指定されたときに、ケーブル情報テーブルＴＢ１の欄１００の中からケーブル番号１を抽出し、ケーブル番号１に紐づけられて記憶されている欄１０１の回路区分として制御回路の情報、欄１０２の芯数として３、欄１０３の発点機器として制御盤Ｂｄ１、欄１０４の着点機器として制御盤Ｂｄ２、欄１０５のケーブルルートとしてＢｄ１→Ｐ１→Ｔ１→Ｔ２→Ｐ２→Ｂｄ２を抽出する。
【００３３】
さらに抽出した情報の中から、欄１０５のケーブルルートに含まれる機器を参照し、これをインデックスとして配置情報テーブルＴＢ２の欄１０６を参照し、当該機器が配置されているエリアの情報を全て抽出する。ケーブル番号１の場合、制御盤Ｂｄ１、電線管Ｐ１、トレイＴ１に関してエリアＲ１を抽出し、トレイＴ２、電線管Ｐ２、制御盤Ｂｄ２に関してエリアＲ２を抽出する。そのうえで、これらのデータを連携して記憶する。以上の一連の処理は、指定された全てのケーブル番号に対して実行される。
【００３４】
配置情報選定部Ｐｒ１における一連処理実行後に形成される配置情報選定テーブルＴＢ１０の一例を図９に示している。この図によれば、ケーブル情報テーブルＴＢ１の欄１００から１０５のデータに配置情報テーブルＴＢ２の欄１０７のデータが付与されて新たなデータ群を形成したことが分かる。例えばケーブル番号１のケーブルはエリアＲＡ，ＲＢで使用され、ケーブル番号３のケーブルはエリアＲＡ，ＲＣで使用され、ケーブル番号５のケーブルはエリアＲＢ，ＲＡで使用されることが把握できた。
【００３５】
配置情報選定部Ｐｒ１の処理によれば以下の関係が整理できる。まずケーブル情報テーブルＴＢ１のケーブル情報では、あるケーブル番号のケーブルルートには、発点機器から着点機器までを接続するときに、ケーブルがどの電線管やトレイを通るかが記されており、あるケーブル番号に関係する電線管番号とトレイ番号が分かる。また配置情報テーブルＴＢ２の配置情報では、電線管番号やトレイ番号とその電線管やトレイ、接続する機器が配置されているエリア番号が記されている。このため、ケーブル情報と配置情報を連携させることで、あるケーブル番号におけるケーブルルートとそのケーブルルートの配置エリア番号が分かる。
【００３６】
最高環境条件情報選定部Ｐｒ２では、配置情報選定部Ｐｒ１で作成した配置情報選定テーブルＴＢ１０の欄１１６のエリア情報をインデックスとして環境条件情報テーブルＴＢ３を参照し、エリアに該当する温度と放射線量の情報を抽出する。例えば図９においてケーブル番号１のケーブルが敷設されるエリアが、ＲＡとＲＢであることから、図５の環境条件情報テーブルＴＢ３を参照して、エリアＲＡについて温度４０℃、放射線量３×１０４Ｇｙを抽出し、エリアＲＢについて温度５０℃、放射線量１×１０５Ｇｙを抽出する。これらの抽出情報は配置情報選定部Ｐｒ１で作成した配置情報選定テーブルＴＢ１０に連携される。
【００３７】
全ての指定されたケーブル番号に対する環境条件情報テーブルＴＢ３の参照が実行されたときに、図１０の最高環境条件情報選定テーブルＴ１１が形成されている。但し、ケーブル番号１のケーブルはエリアＲＡ、ＲＢを貫通して敷設されるために、より高い側の温度としてエリアＲＢの温度５０℃を抽出し、より高い側の放射線量としてエリアＲＢの放射線量１×１０５Ｇｙを抽出し、最高周囲環境条件情報選定テーブルＴ１１に反映させている。
【００３８】
最高環境条件情報選定部Ｐｒ２の処理によれば以下の関係が整理できる。まず配置情報選定部Ｐｒ１では、あるケーブル番号におけるケーブルルートとそのケーブルルートの配置エリア番号までが分かっており、周囲環境条件情報では、エリア番号とそのエリアにおける周囲温度情報と周囲放射線量情報の値が記されている。このため、配置情報選定部Ｐｒ１の選定結果と周囲環境条件情報を連携させることで、あるケーブル番号におけるケーブルルートとそのケーブルルート内の各周囲温度と各周囲放射線量が分かる。ケーブルルートの材料を選定するにあたってはそのケーブルルート内の最高周囲温度情報、最高周囲放射線量情報に耐える線種を選定する必要がある。そのため、あるケーブル番号のケーブルルート内の各温度と各放射線量から最高周囲温度情報、最高周囲放射線量情報を求める。
【００３９】
ケーブル材料情報選定部Ｐｒ３では、最高環境条件情報選定部Ｐｒ２で作成した環境条件情報選定テーブルＴＢ１１の欄１１７、１１８の最高温度情報、最高放射線量情報をインデックスとして、ケーブル材料情報テーブルＴＢ４を参照し、最高温度情報、最高放射線量情報に該当するケーブル材料の情報を抽出する。
【００４０】
例えば図１０においてケーブル番号１のケーブルが敷設される環境である最高温度情報５０℃、最高放射線量情報放射線量１×１０５Ｇｙの仕様を満足する素材を図６のケーブル材料情報テーブルＴＢ４から抽出すると、これはビニルが使用可能である。同様に、図１０においてケーブル番号３のケーブルが敷設される環境である最高温度情報５０℃、最高放射線量情報放射線量２×１０６Ｇｙの仕様を満足する素材を図６のケーブル材料情報テーブルＴＢ４から抽出すると、これはエチレンプロピレンゴムが使用可能である。ケーブル材料情報選定部Ｐｒ３における全ての処理が完了したときに形成されるケーブル材料情報選定テーブルＴＢ１２が、図１１に示されている。新たに欄１１９の項目が追加されている。
【００４１】
ケーブル材料情報選定部Ｐｒ３により、通過する環境内の最高の温度と放射線量の環境から、最も厳しい環境でも耐えられる材料が選定できる。
【００４２】
ケーブル回路区分、芯数、機器の要求条件情報選定部（以下単に要求条件情報選定部という）Ｐｒ４では、ケーブル材料情報選定部Ｐｒ３で作成したケーブル材料情報選定テーブルＴＢ１２の欄１０５の機器情報をインデックスとして、機器情報ケーブルＴＢ５を参照し、当該機器で使用されるケーブルの要求条件を抽出する。例えば図７において機器が制御盤Ｂｄ、電動機Ｍ、弁Ｖの場合には、ケーブルの要求条件が設定されていないが、計器Ｓ１に対しては高温配管用のケーブルを使用すべきこと、計器Ｓ２に対してはシールド付ケーブルを使用すべきことが指示されている。
【００４３】
要求条件情報選定部Ｐｒ４における全ての処理が完了したときに形成される要求条件情報選定テーブルＴＢ１３が、図１２に示されている。新たに欄１２０の項目（ケーブルの要求条件）が追加されている。これによれば、計器Ｓ１，Ｓ２に接続されないケーブル番号１，２，３，４のケーブルにはケーブルの要求条件としては情報がないが、計器Ｓ１，Ｓ２に接続されたケーブル番号５，６のケーブルにはケーブルの要求条件が設定されている。これにより、上記した温度、放射線の条件以外にも順守すべき条件が存在していることが判明する。
【００４４】
要求条件情報選定部Ｐｒ４により以下のことが整理できる。ケーブル情報では、あるケーブル番号のケーブルルートには、接続する機器が記されており、あるケーブル番号が接続する機器番号が分かる。機器情報では、機器番号とその回路区分が記されている。このため、ケーブル情報と機器情報を連携させることで、あるケーブル番号の回路区分が分かる。また、機器番号が分かっているため、その機器の端子数から芯数が分かる。さらに、機器番号が分かっているため、その機器の要求条件が分かる。
【００４５】
ケーブル線種情報選定部Ｐｒ５では、要求条件情報選定テーブルＴＢ１３に新たに追加された欄１２０の項目（ケーブルの要求条件）をインデックスとして図８のケーブル線種選定条件テーブルＴＢ１４を参照する。この参照により、ケーブル番号５のケーブルに指示された高温配管用との条件を含む線種条件として、「ケーブル材料がビニルかつケーブルの要求条件が高温配管用のとき、ケーブル材料をガラス編組とする」を得る。ケーブル番号５のケーブルは、この条件に該当しているので図１２のテーブルＴＢ１３において、該当箇所の情報をビニルからガラス編組に修正してテーブルＴＢ１４を得る。
【００４６】
またケーブル番号６のケーブルに指示されたシールド付ケーブルとの条件を含む線種条件として、「回路区分が制御回路かつケーブルの要求条件がシールド付ケーブルの場合、回路区分を計装回路とする」を得る。シールド付ケーブルの指示を受けたケーブル番号６，７のケーブルのうち、ケーブル番号６のケーブルはこの条件に合致するため、図１２のテーブルＴＢ１３において、該当箇所の情報を制御回路から計装回路に修正してテーブルＴＢ１４を得る。なお、ケーブル番号７のケーブルは最初から計装回路に適用されているので修正の必要はない。
【００４７】
ケーブル線種情報選定部Ｐｒ５の処理によれば以下の関係が整理できる。まず最高環境条件情報選定部Ｐｒ２では、あるケーブル番号のケーブルルート内の最高周囲温度情報、最高周囲放射線量情報が分かっており、ケーブル回路区分選定部Ｐｒ３では、あるケーブル番号の回路区分情報、芯数、機器の要求条件情報が分かっている。そのため、ケーブルルート内の最高温度、最高放射線量、ケーブルの回路区分、機器の要求条件からケーブル線種選定フローを構築し、そのケーブル線種選定フローにおいて、あるケーブル番号のケーブルルート内の最高温度情報、最高放射線量情報と回路区分情報、芯数、機器の要求情報から自動演算することで最適なケーブルの線種をケーブル線種情報テーブルＴＢ５から求める。
【００４８】
ケーブルリスト出力部Ｐｒ６では、最終的にまとめられたケーブル線種選定条件選定テーブルＴＢ５をケーブルリストとして出力する。
【００４９】
以上詳細に説明したように、本発明においては、ケーブル番号を起点とし、そのケーブル番号に関係するケーブルルート情報を選定し、そのケーブルルート情報に関係する電線管とトレイの配置情報と機器の配置情報を選定し、その電線管とトレイの配置情報と機器の配置情報に関係する温度情報と放射線量情報を選定し、その温度情報と放射線情報から最高環境条件を求め、そのケーブル番号に関係するケーブルルート情報と回路区分情報と芯数情報、機器の要求条件情報からケーブル回路区分情報を選定し、最高環境条件情報とケーブル回路区分情報、芯数情報、機器の要求条件情報、ケーブル線種選定情報を合わせて演算することにより、ケーブル線種を自動選定する。
【実施例２】
【００５０】
本発明は以上に示した実施例に限定されるものではなく、さらに一元管理データベースに記録する情報の増築と、情報処理部における演算式を増築することで以下に示す機能と効果を得ることができる。
【００５１】
要素付加によりケーブルのケーブルサイズ選定を実現することについて図１４を用いて説明する。本発明の実施例２に係るケーブル選定システムを示す図１４のシステム構成では、一元管理データベースＤＢ内にさらにケーブルサイズ情報データベースＤＢ７を追加設置している。またケーブル情報データベースＤＢ１内のケーブル情報テーブルＴＢ１に負荷電流情報を付与して保持している。
【００５２】
図１５はケーブル情報データベースＤＢ１内のケーブル情報テーブルＴＢ１の記憶内容を示している。ここでは、図３の記憶内容にさらに欄１２１に最大負荷電流の大きさを記憶している。これによれば、制御回路で使用されるケーブル１，２の負荷電流は３０アンペア、動力回路の電動機Ｍで使用されるケーブル３の負荷電流は１００アンペア、制御回路の弁Ｖで使用されるケーブル４負荷電流は１５アンペア、計装回路で使用されるケーブル５，６，７の負荷電流は５アンペアに設定されている。
【００５３】
また図１４においてデータベースＤＢ内にさらに追加されたケーブルサイズ情報データベースＤＢ７の記憶内容を、図１６に示している。図１６のケーブルサイズデータテーブルＴＢ７では、欄１２２にケーブルサイズを、欄１２３に当該ケーブルサイズでの許容電流を記憶している。サイズ１は１０アンペア、サイズ２は２０アンペアを許容電流とし、以下サイズ番号が１増えるごとに許容電流が１０アンペアずつ増加する関係にある。
【００５４】
データベースＤＢ７に追加された以上のデータを用いて、処理部Ｐｒは以下のような追加機能を実施する。まず、要求条件情報選定部Ｐｒ４では、ケーブル線種選定条件テーブルＴＢ６に対してケーブル要求条件をインデックスとした検索と情報入手を実行し、要求条件情報選定部Ｐｒ４にこれらの情報を入手する。
【００５５】
また要求条件情報選定部Ｐｒ４では、この指示と同時に、新たに追加したケーブルサイズ情報データベースＤＢ７に対してケーブル番号ごとの負荷電流をインデックスとして与えて、この電流の時のケーブルサイズ情報を得、これをケーブルサイズ選定部Ｐｒ７に送るよう指示する。
【００５６】
この結果具体的には、ケーブル番号１，２の負荷電流（３０アンペア）を流すことができるケーブルとしてケーブルサイズ３を選択抽出し、ケーブル番号３の負荷電流（１００アンペア）を流すことができるケーブルとしてケーブルサイズ１０を選択抽出し、ケーブル番号４の負荷電流（１５アンペア）を流すことができるケーブルとしてケーブルサイズ２を選択抽出し、ケーブル番号５，６，７の負荷電流（５アンペア）を流すことができるケーブルとしてケーブルサイズ１を選択抽出する。なおここでは最小のサイズを選択している。
【００５７】
新たに追加されたケーブルサイズ選定部Ｐｒ７には、全てのケーブル番号に対する情報収集の結果として、図１７のケーブルサイズ選定テーブルＴＢ８が生成される。ケーブルサイズ選定テーブルＴＢ８は、欄１００のケーブル番号と、欄１２０の負荷電流と、欄１２３のケーブルサイズで構成される。
【００５８】
ケーブル線種選定部Ｐｒ５には、要求条件情報選定部Ｐｒ４で作成したテーブルＴＢ１３に、
ケーブルサイズ選定部Ｐｒ７で作成したテーブルＴＢ８の情報を加味して図１８のケーブル線種選定テーブルＴＢ１５が得られる。欄１２４のケーブルサイズが新たに追加されている。
【００５９】
実施例２のような構造にすることにより、ケーブルの線種とサイズについて一貫作業により自動演算することができるため、作業効率が向上する。
【実施例３】
【００６０】
実施例１と実施例２では、データベースに必要なデータが各データベースの構成要素の観点から整理されて記憶されていることを前提としている。然るに実際にシステム設計を行う過程においては、プラントなどの現場設計がＣＡＤなどを用いてすでに実施されているので、ＣＡＤ情報を利用して各データベースを構築するのがよい。以下ＣＡＤ情報を利用することについて説明する。
【００６１】
ここでの説明は、図１９に示す配線現場の例で説明する。ここでは、機器３０１，３０２，３０３が、電線管４０１，４０２，４０３、トレイ５０１，５０２を介して接続されている。そしてＣＡＤの中では、これらの要素がオブジェクトとしてそれぞれのＩＤ番号、属性情報とともに把握され、記憶されている。
【００６２】
図２０は、このうち機器として３０１を把握、表記するために整理されたＣＡＤ情報の例であり、同様にして他の機器も整理されている。機器３０１はＩＤ番号として３０１を付与されており、また属性情報として配置エリア（エリア６０１）、温度（５０℃）、放射線量（２．０×１０５Ｇｙ）、回路区分（動力回路）、芯数（２）、機器の要求条件（シールド要求あり）を付与されている。
【００６３】
図２１は、電線管として４０１を把握、表記するために整理されたＣＡＤ情報の例であり、同様にして他の電線管も整理されている。電線管４０１はＩＤ番号として４０１を付与されており、また属性情報として配置エリア（エリア６０１）、温度（５０℃）、放射線量（２．０×１０５Ｇｙ）を付与されている。
【００６４】
図２２は、トレイとして５０１を把握、表記するために整理されたＣＡＤ情報の例であり、同様にして他のトレイも整理されている。トレイ５０１はＩＤ番号として５０１を付与されており、また属性情報として配置エリア（エリア６０２）、温度（４０℃）、放射線量（１．０×１０５Ｇｙ）を付与されている。
【００６５】
図２３は、ケーブルとして５０１を把握、表記するために整理されたＣＡＤ情報の例であり、同様にして他のケーブルも整理されている。ケーブル７０１はＩＤ番号として７０１を付与されており、また属性情報としてケーブルルートを付与されている。
【００６６】
ＣＡＤの内部では、各要素は上記のようなデータとして把握されているので、このデータをデータベースＤＢ１からＤＢ７に反映させることで、容易にデータベースを構築することができることは明らかである。
【００６７】
これらのデータの連携により本発明は実現が可能である。例えば、ケーブル番号７０１のケーブルルートが図２３のようであるとき、ケーブル番号７０１を選択した際に、そのケーブルのケーブルルート情報から関係する機器番号３０１、電線管番号４０１、トレイ番号５０１、電線管番号４０２、機器番号３０２のオブジェクトが強調されて選択される。
【００６８】
このとき、選択されたオブジェクトごとに、その配置エリアの温度情報と、放射線量情報が呼び出され、最高環境条件情報選定部によって最高温度情報と最高放射線量情報が選定される。
【００６９】
また、機器の回路区分情報、芯数情報、機器の要求条件情報が呼び出され、ケーブル回路区分、芯数、機器の要求条件情報選定部によってケーブルルート情報に関係する機器の回路区分情報、芯数情報、機器の要求条件情報が選定される。
【００７０】
ケーブル番号７０１に対する最高温度情報と最高放射線量情報、ケーブル回路区分情報、芯数情報、機器の要求条件情報からケーブル線種情報選定部によって最適なケーブル線種が選定される。
【００７１】
最終的にケーブル番号毎に関係する情報をリスト化し、ケーブルリストとして出力する。
【符号の説明】
【００７２】
ＤＢ：データベース
ＴＢ：データテーブル
Ｐｒ：処理部
Ｒ：エリア
Ｂｄ：制御盤
Ｐ：電線管
Ｔ：トレイ
Ｍ：電動機
Ｖ：弁
【図１】
2015018308.tif 000003
【図２】
2015018308.tif 000004
【図３】
2015018308.tif 000005
【図４】
2015018308.tif 000006
【図５】
2015018308.tif 000007
【図６】
2015018308.tif 000008
【図７】
2015018308.tif 000009
【図８】
2015018308.tif 000010
【図９】
2015018308.tif 000011
【図１０】
2015018308.tif 000012
【図１１】
2015018308.tif 000013
【図１２】
2015018308.tif 000014
【図１３】
2015018308.tif 000015
【図１４】
2015018308.tif 000016
【図１５】
2015018308.tif 000017
【図１６】
2015018308.tif 000018
【図１７】
2015018308.tif 000019
【図１８】
2015018308.tif 000020
【図１９】
2015018308.tif 000021
【図２０】
2015018308.tif 000022
【図２１】
2015018308.tif 000023
【図２２】
2015018308.tif 000024
【図２３】
2015018308.tif 000025